(57)【特許請求の範囲】
【請求項１】
再生部と、制御部と、を備えるカラオケ装置であって、
前記再生部は、楽曲情報を再生可能とし、
前記制御部は、楽曲再生処理と、歌唱評価処理と、通知処理と、を実行可能とし、
前記楽曲再生処理は、歌唱ユーザから指定された楽曲を前記再生部に再生させ、
前記歌唱評価処理は、前記楽曲再生処理の実行中、マイクロホンから入力される歌唱音声信号に基づいて、所定の歌唱特徴に関するパラメータ評価情報を複数算出し、算出された複数のパラメータ評価情報に基づいて総合評価情報を算出し、
前記通知処理は、歌唱評価処理で算出された総合評価情報を、同楽曲に関する他のユーザの総合評価情報と比較して判定された順位中、上位順位を有するライバルユーザの複数のパラメータ評価情報と、歌唱ユーザの複数のパラメータ評価情報との比較結果に基づき、パラメータ評価情報の差が少なく、かつ、ライバルユーザの総合評価情報を上回るために必要なパラメータ評価情報を決定し、決定されたパラメータ評価情報に対応する歌唱特徴を通知する
カラオケ装置。
【請求項２】
ライバルユーザは、歌唱ユーザの順位よりも所定順位上のユーザである
請求項１に記載のカラオケ装置。
【請求項３】
ライバルユーザは、歌唱ユーザにより指定された順位のユーザ、もしくは、歌唱ユーザにより指定されたユーザ名のユーザである
請求項１に記載のカラオケ装置。
【請求項４】
前記通知処理は、歌唱ユーザの順位と、ライバルユーザの順位を通知する
請求項１から請求項３の何れか１項に記載のカラオケ装置。
【請求項５】
前記通知処理は、前記楽曲再生処理の終了後、もしくは、前記楽曲再生処理で指定された楽曲が、再度指定された場合に実行する
請求項１から請求項４の何れか１項に記載のカラオケ装置。
【請求項６】
歌唱ユーザから指定された楽曲を再生部に再生させる楽曲再生処理と、
前記楽曲再生処理の実行中、マイクロホンから入力される歌唱音声信号に基づいて、所定の歌唱特徴に関するパラメータ評価情報を複数算出し、算出された複数のパラメータ評価情報に基づいて総合評価情報を算出する歌唱評価処理と、
歌唱評価処理で算出された総合評価情報を、同楽曲に関する他のユーザの総合評価情報と比較して判定された順位中、上位順位を有するライバルユーザの複数のパラメータ評価情報と、歌唱ユーザの複数のパラメータ評価情報とを比較し、パラメータ評価情報の差が少なく、かつ、ライバルユーザの総合評価情報を上回るために必要なパラメータ評価情報を決定し、決定されたパラメータ評価情報に対応する歌唱特徴を通知する通知処理と、を情報処理装置に実行させる
カラオケプログラム。
【発明の詳細な説明】
【技術分野】
【０００１】
本発明は、楽曲の自動演奏に合わせて歌唱を楽しむことのできるカラオケ装置、及び、カラオケプログラムに関する。特に、歌唱評価について他のユーザと順位を競うことのできるカラオケ装置、及び、カラオケプログラムに関する。
【背景技術】
【０００２】
従来、自動演奏に合わせて歌唱を楽しむことのできるカラオケが社交の場等において行われている。カラオケを行うことのできるカラオケ装置では、歌唱の技巧を競うことを目的とした採点機能を備えたものがある。採点機能は、歌唱者の歌唱音声の音程と楽曲情報に規定されたメロディの音程とを比較することにより、歌唱の技巧を数値化して示すものである。通信機能を利用可能なカラオケ装置では、複数のユーザ間で採点結果の順位を競うことが行われている。ユーザ間で採点結果を競うことで、歌唱能力の向上に対する意欲向上が図られる。
【０００３】
このようにカラオケ装置の採点において、順位を競う機能について、特許文献１には、予め複数の採点区間に分割された所定のカラオケ楽曲の演奏進行に従い、各採点区間に対応させ、当該区間から最初の区間までの各区間の採点値を利用者毎に積算することで、競争の対象となる全ての利用者の歌唱後、利用者一同が、あたかもレース展開を見るように歌唱採点に基づく順位の途中変動を鑑賞できるようにした歌唱順位表示システムが開示されている。
【先行技術文献】
【特許文献】
【０００４】
【特許文献１】特開２００２−４１０６３号公報
【発明の概要】
【発明が解決しようとする課題】
【０００５】
ところで、カラオケにおける歌唱評価の順位を競う場合、友人や知人、あるいは、所定の楽曲について順位を競う常連のユーザといったライバルとなるユーザよりも上位に位置したい、あるいは、順位をたった１位であっても上げたいというユーザの希望がある。歌唱評価では、音程や、技巧等に応じて歌唱評価が行われることになるが、歌唱評価の順位を競う場合、各楽曲について算出された歌唱得点（総合的な評価）を比較して行われている。したがって、ユーザは、どのように歌唱を行えば、他のユーザよりも上位を狙えるかを客観的に判断することはできなかった。
【０００６】
本発明では、カラオケの歌唱評価において、自分よりも上位に位置する所定のユーザ（ライバルユーザ）と、どのような観点において歌唱特徴が異なるかを客観的に通知することで、ライバルユーザの順位を抜くための歌唱方法を教示することを可能とする。
【課題を解決するための手段】
【０００７】
そのため、本発明に係るカラオケ装置は以下の構成を採用するものである。
再生部と、制御部と、を備えるカラオケ装置であって、
前記再生部は、楽曲情報を再生可能とし、
前記制御部は、楽曲再生処理と、歌唱評価処理と、通知処理と、を実行可能とし、
前記楽曲再生処理は、歌唱ユーザから指定された楽曲を前記再生部に再生させ、
前記歌唱評価処理は、前記楽曲再生処理の実行中、マイクロホンから入力される歌唱音声信号に基づいて、所定の歌唱特徴に関するパラメータ評価情報を複数算出し、算出された複数のパラメータ評価情報に基づいて総合評価情報を算出し、
前記通知処理は、歌唱評価処理で算出された総合評価情報を、同楽曲に関する他のユーザの総合評価情報と比較して判定された順位中、上位順位を有するライバルユーザの複数のパラメータ評価情報と、歌唱ユーザの複数のパラメータ評価情報との比較結果に基づき、当該比較結果が所定条件を満たすパラメータ評価情報に対応する歌唱特徴を通知する。
【０００８】
さらに本発明に係るカラオケ装置において、
ライバルユーザは、歌唱ユーザの順位よりも所定順位上のユーザである。
【０００９】
さらに本発明に係るカラオケ装置において、
ライバルユーザは、歌唱ユーザにより指定された順位のユーザ、もしくは、歌唱ユーザにより指定されたユーザ名のユーザである。
【００１０】
さらに本発明に係るカラオケ装置において、
前記通知処理は、歌唱ユーザの順位と、ライバルユーザの順位を通知する。
【００１１】
さらに本発明に係るカラオケ装置において、
前記通知処理は、前記楽曲再生処理の終了後、もしくは、前記楽曲再生処理で指定された楽曲が、再度指定された場合に実行する。
【００１２】
また本発明に係るカラオケプログラムは、
歌唱ユーザから指定された楽曲を再生部に再生させる楽曲再生処理と、
前記楽曲再生処理の実行中、マイクロホンから入力される歌唱音声信号に基づいて、所定の歌唱特徴に関するパラメータ評価情報を複数算出し、算出された複数のパラメータ評価情報に基づいて総合評価情報を算出する歌唱評価処理と、
歌唱評価処理で算出された総合評価情報を、同楽曲に関する他のユーザの総合評価情報と比較して判定された順位中、上位順位を有するライバルユーザの複数のパラメータ評価情報と、歌唱ユーザの複数のパラメータ評価情報とを比較し、パラメータ評価情報の差が少なく、かつ、ライバルユーザの総合評価情報を上回るために必要なパラメータ評価情報を決定し、決定されたパラメータ評価情報に対応する歌唱特徴を通知する通知処理と、を情報処理装置に実行させる。
【発明の効果】
【００１３】
本発明に係るカラオケ装置、または、カラオケプログラムによれば、ライバルユーザの複数のパラメータ評価情報と、歌唱ユーザの複数のパラメータ評価情報との比較結果に基づき、当該、比較結果が所定条件を満たすパラメータ評価情報に対応する歌唱特徴を通知することで、自己の歌唱が、ライバルユーザの歌唱と、どのような観点において歌唱特徴が異なっているかを、ユーザに通知することが可能となる。
【００１４】
さらに本発明に係るカラオケ装置、または、カラオケプログラムによれば、歌唱ユーザの順位よりも所定順位上のユーザをライバルユーザとすることで、歌唱ユーザは、所定順位上の順位を獲得するために必要な歌唱特徴を認識することが可能となる。
【００１５】
さらに本発明に係るカラオケ装置、または、カラオケプログラムによれば、歌唱ユーザにより指定された順位のユーザ、もしくは、歌唱ユーザにより指定されたユーザ名のユーザとすることで、歌唱ユーザが抜きたい順位、もしくは、抜きたいユーザをライバルユーザとすることが可能となり、歌唱ユーザは、当該ライバルユーザを抜くために必要な歌唱特徴を認識することが可能となる。
【００１６】
さらに本発明に係るカラオケ装置、または、カラオケプログラムによれば、差が少なく、かつ、ライバルユーザの総合評価情報を上回るために必要なパラメータ評価情報に対応する歌唱特徴を通知することで、ライバルユーザの順位を抜くため、歌唱時に注意すべき最小限の歌唱特徴を通知することが可能となる。
【００１７】
さらに本発明に係るカラオケ装置、または、カラオケプログラムによれば、楽曲再生処理の終了後に通知処理を実行することで、歌唱ユーザは、次回の歌唱のため、ライバルユーザの順位を抜くために必要な歌唱特徴を認識することが可能となる。また、楽曲再生処理で指定された楽曲が、再度指定された場合に通知処理を実行することで、歌唱ユーザは、今回の歌唱について、ライバルユーザの順位を抜くために必要な歌唱特徴を認識した上で歌唱を行うことが可能となる。
【図面の簡単な説明】
【００１８】
【図１】本実施形態のカラオケシステムを示す図
【図２】本実施形態のユーザ情報のデータ構成を示す図
【図３】本実施形態のユーザ情報の送受信を説明する図
【図４】本実施形態のアクティブユーザトップ画面を示す図
【図５】本実施形態の選曲処理を示すフロー図
【図６】本実施形態の楽曲確認画面を示す図
【図７】本実施形態のアドバイス表示処理を示すフロー図
【図８】本実施形態のランキングテーブルのデータ構成を示す図
【図９】本実施形態のアドバイス表示子画面を示す図
【図１０】本実施形態のライバルユーザ指定子画面を示す図
【図１１】本実施形態のアドバイス表示子画面を示す図
【図１２】本実施形態の楽曲再生処理を示すフロー図
【図１３】本実施形態の評価結果画面を示す図
【発明を実施するための形態】
【００１９】
図１は、本発明の実施形態に係るカラオケシステムの構成を示す図である。本実施形態におけるカラオケシステムは、カラオケ装置２（コマンダ）と、リモコン装置１を含んで構成されている。なお、図１に示す例では、１台のカラオケ装置２に対して、リモコン装置１ａとリモコン装置１ｂ、２台のリモコン装置１が使用されている例である。これらリモコン装置１ａ、１ｂの構成は同一であるため、リモコン装置１として説明を行う。カラオケ装置２とリモコン装置１は、ＬＡＮ１００及びアクセスポイント１１０を利用してネットワークを形成するように接続されている。
【００２０】
カラオケボックスなどの店舗に設置されるカラオケ装置２は、楽曲を演奏するための演奏部として音響制御部２５を備えている。また、カラオケ装置２は、ユーザからの各種入力を受け付ける操作部２１を備える。カラオケ装置２は、操作部２１からの入力を解釈してＣＰＵ３０に伝達する操作処理部２２を備える。また、カラオケ装置２は、各種情報を記憶する記憶部としてのＨＤＤ３２（ハードディスク）を備える。カラオケ装置２は、ＬＡＮ１００に接続してネットワークに加入する通信手段としてのＬＡＮ通信部２４を備えている。
【００２１】
また、カラオケ装置２は、モニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対する歌詞テロップの重畳、映像効果を付与する映像制御部３１を備えて構成される。
【００２２】
さらに、このカラオケ装置２では、外部に接続されるモニタ４１以外に、タッチパネルモニタ３３に対して各種情報を表示することを可能としている。タッチパネルモニタ３３は映像制御部３１から入力された映像情報を表示する表示部３５と、タッチ入力された位置を操作処理部２２に出力するタッチパネル３４が重畳されて構成されている。このタッチパネルモニタ３３は、カラオケ装置２の操作部、あるいは、リモコン装置１のタッチパネルモニタ１１などと同様、入力部として機能する。ユーザは、タッチパネルモニタ３３にて楽曲を選択することで、直接カラオケ装置２に予約をさせるなど、カラオケ装置２に対する各種操作を行うことが可能である。
【００２３】
さらに、カラオケ装置２は、各構成を統括して制御するためのＣＰＵ３０、各種プログラムを実行するにあたって必要となる情報を一時記憶するためのメモリ２７を備えて構成される。
【００２４】
このような構成にてカラオケ装置２は、各種処理を実行することとなるが、カラオケ装置２の主な機能として、楽曲予約処理、楽曲再生処理などを実行可能としている。楽曲予約処理は、ユーザからの指定に基づいて楽曲を指定、予約するための処理であってリモコン装置１と連携して実行される。ユーザの操作により、リモコン装置１などの入力部で指定された予約情報をメモリ２７中の予約テーブルに登録する。楽曲再生処理は、予約された楽曲を再生させる処理であって、楽曲演奏処理と歌詞再生処理とが同期して実行される処理である。
【００２５】
楽曲演奏処理は、楽曲情報に含まれる演奏情報に基づき、音響制御部２５に演奏を実行させる処理である。音響制御部２５にて演奏された楽曲は、歌唱用マイク４４ａ、４４ｂから入力される歌唱音声と一緒にスピーカ４２から放音される。歌詞再生処理は、楽曲情報に含まれる歌詞情報をモニタ４１に表示させることで歌唱補助を行う処理である。この歌詞再生処理で表示される歌詞に、背景映像を重畳させて表示させる背景映像表示処理を実行することとしてもよい。
【００２６】
一方、リモコン装置１は、歌唱する楽曲を選択する選曲処理を実行可能とし、予約情報などカラオケ装置２に対して各種指示を送信可能としている。また、リモコン装置１は、カラオケ装置２あるいはインターネット上に接続されたサーバ装置５から各種情報を受信し、ユーザに対して各種情報を提供することも可能である。本実施形態では、ユーザから各種指示を受け付けるユーザインターフェイスとして、操作部１７と、タッチパネルモニタ１１を備えている。タッチパネルモニタ１１は、表示部１１ａとタッチパネル１１ｂを有して構成され、表示部１１ａに各種インターフェイスを表示するとともに、ユーザからのタッチ入力を受付可能としている。
【００２７】
さらにリモコン装置１は、楽曲検索に必要とされるデータベース、各種プログラム、並びに、プログラム実行に伴って発生する各種情報を記憶する記憶部として、メモリ１４、そして、これら構成を統括して制御するためのリモコン側制御部を備えて構成される。リモコン側制御部には、ＣＰＵ１５、タッチパネルモニタ１１に対して表示する映像を形成する映像制御部１３、表示する映像情報を一時的に蓄えるビデオＲＡＭ１２、タッチパネルモニタ１１あるいは操作部１７からの入力を解釈してＣＰＵ１５に伝える操作処理部１８が含まれている。
【００２８】
また、リモコン装置１は、無線ＬＡＮ通信部１６によって、アクセスポイント１１０と無線接続されることで、ＬＡＮ１００によって構成されるネットワークに接続される。なお、各リモコン装置１は、特定のカラオケ装置２に対して事前に対応付けされている。リモコン装置１から出力される各種命令は、対応付けされたカラオケ装置２にて受信されることとなる。
【００２９】
このようなリモコン装置１の構成により、ユーザからの各種入力をタッチパネルモニタ１１、あるいは、操作部１７から受付けるとともに、映像情報をタッチパネルモニタ１１の表示により各種情報を提供することで、カラオケ装置２に対して楽曲予約などの各種指示を行うことが可能とされている。
【００３０】
本実施形態のカラオケシステムは、リモコン装置１のタッチパネルモニタ１１から認証情報（後述するユーザ識別情報やパスワード）を入力することで、ログインすることが可能となっている。特に、本実施形態のカラオケシステムでは、複数のユーザをログインさせることが可能である。ログインしたユーザは、サーバ装置５にユーザ毎に記憶されたユーザ情報を利用して各種サービスを受けることが可能となる。
【００３１】
図２は、ユーザ毎にサーバ装置５に記憶されているユーザ情報を説明するための図である。本実施形態では、ユーザ情報として、個人情報、マイうたテーブル、マイアーティストテーブル、履歴テーブルといった、ユーザに関する各種情報を含んで構成される。ユーザ情報は、サーバ装置５の記憶部５１において記憶管理されている。ユーザ情報には、ユーザがログインするためのアカウント情報（ユーザ識別情報とパスワード）が含まれている。個人情報には、ユーザ名（実際の名前に限ったものでなく、ニックネームであってもよい）、性別、年齢、うた年齢などを含んで構成される。これら各種情報は、リモコン装置１、あるいは、インターネットなどのネットワークに接続された図示しないパーソナルコンピュータ、携帯情報端末などを使用し、ログインして設定することも可能である。
【００３２】
マイうたテーブルは、ユーザによって登録された楽曲を記憶するテーブルであって、楽曲識別情報、音高調整値などを含んで構成されている。ユーザは、このマイうたテーブルに基づいて、過去に登録したお気に入りの楽曲を呼び出して予約、演奏することが可能となる。その際、登録した音高調整値を利用することで、自分の歌唱にあった音高で演奏（再生）を行うこともできる。
【００３３】
マイアーティストテーブルは、ユーザによって登録されたアーティスト（歌手）を記憶するテーブルであって、歌手識別情報を含んで構成されている。ユーザは、このマイアーティストテーブルに基づいて、登録したお気に入りのアーティストの楽曲（持ち歌、あるいは、関連楽曲）を呼び出して予約、演奏することが可能となる。
【００３４】
履歴テーブルは、ユーザが過去に演奏した楽曲に関する各種情報を記録した情報であって、本実施形態では、過去に当該ユーザが予約することで演奏された楽曲について、楽曲の楽曲識別情報、演奏した日時を示す歌唱日時、歌唱時に行われた歌唱評価処理の結果である歌唱価情報などを含んで構成されている。ユーザは、この履歴テーブルに基づいて、過去に演奏した楽曲を呼び出して再度歌唱することが可能である。
【００３５】
図３は、このユーザ情報の送受信の様子を示した図である。カラオケ店舗に来店したユーザは、自己のユーザ識別情報とパスワードで構成された認証情報を入力、あるいは、リモコン装置１などに設けられたＩＣカードリーダでＩＣカードに記憶されている認証情報を読み取らせることで認証処理（Ｓ１０１）を実行する。カラオケ装置２あるいはリモコン装置１は、認証情報をサーバ装置５に送信し（Ｓ１０２）、認証情報を受信したサーバ装置５は記憶部５１に記憶されたデータベースから、該当するユーザのユーザ情報を抽出し（Ｓ１２１）、問い合わせのあったカラオケ装置２あるいはリモコン装置１に対して送信する（Ｓ１２２）。
【００３６】
ユーザ情報を受信したカラオケ装置２側では（Ｓ１０３）、受信したユーザ情報に基づいて、楽曲予約処理、楽曲再生処理など各種サービス処理を提供する（Ｓ１０４）。ユーザによりログアウトが要求される（Ｓ１０５）とサービス処理を中断し、サービス処理中に発生した各種履歴（ログ）、あるいは、ユーザによる設定変更を反映したユーザ情報をサーバ装置５に送信する（Ｓ１０６）。ここで、ユーザ情報は、全ての情報を送信することの他、更新された差分だけを送信してもよい。ユーザ情報を受信したサーバ装置５では（Ｓ１２３）、受信したユーザ情報に基づいて記憶部５１に記憶されたデータベースの更新を実行する（Ｓ１２４）。
【００３７】
以上、あるユーザが認証処理（ログイン処理）してから、ログアウトするまでの流れを説明したが、本実施形態のカラオケ装置２、リモコン装置１は、認証された複数人（認証ユーザ）が同時にログインした状態で使用することが可能となっている。ログインした複数のユーザは、リモコン装置１のタッチパネルモニタ１１等に表示されるユーザインターフェイスを用いることで、サービスを提供するユーザ（以下、「アクティブユーザ」という）を切り替えて使用することが可能となっている。
【００３８】
図４は、本実施形態のアクティブユーザトップ画面を示す図である。この図に示されるように、複数人がログインした状態ではログインユーザ欄１０３にログインしたユーザの分身像１０３ａ〜１０３ｅ（本実施形態では顔部分）が表示される。またログインユーザ欄１０３中、右端に背景がハイライト（白色）で示されるユーザは、アクティブユーザ１０３ｅ（Ａさん）であって、図に示す状態では、このアクティブユーザ１０３ｅに対するサービス、すなわち、アクティブユーザ１０３ｅのユーザ情報を利用したサービスが実行されている状態となっている。このアクティブユーザトップ画面では、「曲を探す」を選択することで、歌手名、楽曲名に基づく検索を行うことができる。
【００３９】
図５には、本実施形態の選曲処理を示すフロー図が示されている。図４で説明したアクティブユーザトップ画面上、「曲を探す」ボタンを操作するなどして、楽曲の指定が行われた場合（Ｓ１０１：Ｙｅｓ）、タッチパネルモニタ１１には、指定した楽曲の詳細を確認するための楽曲確認画面が表示される（Ｓ１０２）。このとき、カラオケ装置２は、サーバ装置に対し、指定された楽曲について、アクティブユーザの全国順位の問合せを行う（Ｓ１０３）。図６には、本実施形態の楽曲確認画面が示されている。楽曲確認画面には、指定された楽曲について、楽曲名、歌手名、歌い出しなどが表示され、ユーザは、自分が歌唱する楽曲に間違いが無いか否かを確認することが可能である。
【００４０】
この楽曲確認画面には、前回歌唱を行ったときの歌唱評価における総合得点（本発明における「総合評価情報」に相当）について、現在の全国順位（本発明における「順位」）が順位表示欄１１１に表示されている。ユーザは、この順位表示欄１１１に表示される現在の全国順位を確認することができる。また、順位表示欄１１１の隣には、アドバイス表示ボタン１１２が表示されている。このアドバイス表示ボタン１１２は、順位を上げるためどのように歌唱すればよいかを教示するアドバイスを表示するためのボタンであり、このアドバイス表示ボタン１１２を操作すること（Ｓ１０５：Ｙｅｓ）で、アドバイス表示処理（Ｓ２００、本発明における「通知処理」に相当）が開始する。一方、楽曲確認画面に表示される予約ボタン１１３を操作した場合（Ｓ１０４：Ｙｅｓ）には、楽曲識別情報とアクティブユーザのユーザ識別情報を含む予約情報が、カラオケ装置２に送信される（Ｓ１０６）。
【００４１】
では、アドバイス表示ボタン１１２を操作した時に実行されるアドバイス表示処理について詳しく説明する。図７は、本実施形態のアドバイス表示処理（Ｓ２００）を示すフロー図が示されている。本実施形態のアドバイス表示処理では、まず、アクティブユーザ（現在１４位）よりも１位上の順位（図６の場合、現在１３位）のユーザを抜くためのアドバイスを表示することとしている。そのため、リモコン装置１は、指定されている楽曲について順位を管理しているランキングテーブルを、サーバ装置５に対して要求する（Ｓ２０１）。なお、アドバイスは、自己の順位以上のユーザを対象とするため、サーバ装置５は、ランキングテーブル中、歌唱するユーザの順位以上のランキング情報を送信することでもよい。図８には、本実施形態のランキングテーブルのデータ構成が示されている。ランキングテーブルは、サーバ装置５の記憶部５１にて記憶管理されており、各ユーザのランキング情報を集めたテーブルである。このランキングテーブルは、通信接続されているカラオケ装置２にて行われた歌唱評価処理によって随時更新される。
【００４２】
本実施形態のランキング情報は、現在の全国順位、ユーザ名（ユーザ識別情報としてもよい）、総合得点、５つの項目（本発明における「歌唱特徴」に相当）のパラメータ評価情報を有して構成されている。パラメータ評価情報は、音程、リズム、安定度、熱唱度、テクニックの５つの項目、それぞれについての歌唱評価であり、カラオケ装置２の歌唱評価処理において、歌唱用マイク４４ａ、４４ｂから入力される歌唱音声信号の音高、音量、タイミング等を、楽曲情報中の基準情報と比較すること等によって算出された情報である。
【００４３】
アドバイス評価処理では、ランキングテーブルを受信（Ｓ２０２）した後、受信したランキング情報に含まれるユーザの評価情報（図６の場合、現在１４位）と、１位上の順位（図６の場合、現在１３位）の評価情報を受信（Ｓ２０２）に基づいてアドバイスを作成する。ここで、順位を抜く対象となるユーザのことをライバルユーザと称することとする。本実施形態におけるアドバイスは、５つのパラメータ評価情報中、歌唱するユーザとライバルユーザの間で、パラメータ評価情報を比較し、複数のパラメータ評価情報中、どの項目に注意すべきかを教示するものである。特に、本実施形態では、ライバルユーザの順位を容易に抜くためのアドバスを行うこととしており、そのため、パラメータ評価情報の差が少なく、かつ、ライバルユーザの総合評価情報を上回るために必要な項目を表示することとしている。ユーザは、表示された項目に注意して歌唱することで、ライバルユーザの順位を抜くことが可能となる。
【００４４】
図８のランキングテーブルの例では、歌唱するユーザ（Ａさん）とライバルユーザ（Ｂさん）のランキング情報を比較した場合、ライバルユーザ（Ｂさん）のパラメータ評価情報は、「音程」、「リズム」、「熱唱度」の３項目において、歌唱するユーザ（Ａさん）のパラメータ評価情報を上回っている。３項目中で、差が最も少ないパラメータ評価情報は「リズム」の項目である。また、「リズム」について、歌唱するユーザ（Ａさん）のパラメータ評価情報が、ライバルユーザ（Ｂさん）のパラメータ評価情報を上回った場合、総合得点についても上回ることとなる。したがって、歌唱するユーザ（Ａさん）は、「リズム」に注意して歌唱を行えば、ライバルユーザ（Ｂさん）の順位を抜くことが可能となることが考えられる。したがって、この例の場合、歌唱するユーザ（Ａさん）に対しては、「リズム」に注意して歌唱するようにアドバイスすることになる。
【００４５】
図９には、本実施形態のアドバイス表示子画面１１４が示されている。このアドバイス表示子画面１１４は、楽曲確認画面においてアドバイス表示ボタン１１２を操作することで表示される子画面であり、楽曲確認画面上に重畳して表示される（Ｓ２０３）。ユーザは、このアドバイス表示子画面１１４において、ライバルユーザの順位を抜くために注意すべき項目を確認することが可能となる。
【００４６】
また、このアドバイス表示子画面１１４では、ライバルユーザを変更することが可能である。アドバイス表示子画面１１４中、ライバルユーザのユーザ名、順位が表示された箇所に表示される変更ボタンを操作する（Ｓ２０４：Ｙｅｓ）ことで、アドバイスの対象となるライバルユーザを変更する（Ｓ２０５）ことが可能である。図１０には、この変更ボタンを操作した場合に表示されるライバルユーザ指定子画面１１５が示されている。このライバルユーザ指定子画面１１５は、抜きたいライバルユーザを指定するための画面であり、各ユーザについて、全国順位と、ユーザ名が表示されている。また、アドバイス表示子画面１１４中の右側に表示されるスライドバーを使用して、表示されているユーザの範囲を変更することが可能である。
【００４７】
このライバルユーザ指定子画面１１５において、ユーザは抜きたい順位、あるいは、抜きたいユーザ名を指定することで、ライバルユーザを。指定された順位、または、ユーザ名のユーザに変更することが可能となる。なお、本実施形態では、ライバルユーザの指定について、順位とユーザ名の両方を表示しているが、どちらか一方を表示するものであっても構わない。ライバルユーザ指定子画面１１５において、新たなライバルユーザが指定された場合、指定されたライバルユーザに対するアドバイスが形成され、アドバイス表示子画面１１４が表示される。
【００４８】
図１１には、新たに指定されたライバルユーザに対するアドバイス表示子画面１１４が示されている。ここでは、現在、全国順位が１１位のユーザ（Ｅさん）がライバルユーザに指定された例を示している。図８のランキングテーブルの例では、歌唱するユーザ（Ａさん）とライバルユーザ（Ｅさん）のランキング情報を比較した場合、ライバルユーザ（Ｅさん）のパラメータ評価情報は、「音程」、「リズム」、「熱唱度」の３項目において、歌唱するユーザ（Ａさん）のパラメータ評価情報を上回っている。３項目中、差の少ない順に、「音程」、「熱唱度」、「リズム」に並ぶこととなり、差の少ない２つの項目「音程」と「リズム」のパラメータ評価情報が、ライバルユーザ（Ｅさん）のパラメータ評価情報を上回った場合、総合得点についてもライバルユーザ（Ｅさん）を上回ることとなる。したがって、歌唱するユーザ（Ａさん）は、Ｅさんの順位をターゲットとして歌唱する場合、「音程」と「リズム」に注意して歌唱を行えば、ライバルユーザ（Ｅさん）の順位を抜くことが可能となることが考えられる。したがって、このようにＥさんをターゲットとした場合、歌唱するユーザ（Ａさん）に対しては、「音程」と「リズム」に注意して歌唱するようにアドバイスすることになる。
【００４９】
なお、この例から分かるように、本実施形態のアドバイスでは、対象となるライバルユーザが自分より上位になるに従って（自分の順位よりも、１位により近づいた順位になる程）、アドバイスする項目数が増加することが予想される。場合によっては、全ての項目をアドバイスの対象としなければならないことも予想される。したがって、本実施形態のようなアルゴリズムでアドバイスを形成する場合には、自分と総合評価情報の点数差の少ないライバルユーザに限定して変更可能とすることとしてもよい。
【００５０】
アドバイス表示子画面１１４は、子画面の左上に表示された閉じるボタンを操作することで消去され、元の楽曲確認画面へと戻る（Ｓ２０８：Ｙｅｓ）。このように、本実施形態では、パラメータ評価情報を比較することで、予め定められている順位（本実施形態では自分より１位上の順位）のライバルユーザの順位を抜くために注意すべきパラメータ評価情報の項目（本発明における「歌唱特徴」に相当）を、歌唱するユーザに対して通知することが可能となっている。また、ライバルユーザは、予め定められている順位のみならず、ユーザが順位あるいはユーザ名を指定することで決定してもよい。友人や知人などをターゲットとして順位を抜くための歌唱のコツについてアドバイスを受けることが可能となる。
【００５１】
図１２には、本実施形態の楽曲再生処理を示すフロー図が示されている。楽曲再生処理が開始されると、カラオケ装置２内のメモリ２７に記憶している予約テーブルを参照し、次に再生させる楽曲の有無が判定される（Ｓ３０１）。予約テーブル中、次に再生させる楽曲がある場合（Ｓ３０２：Ｙｅｓ）には、当該楽曲の再生を開始する（Ｓ３０３）。楽曲の再生は、楽曲情報中の演奏情報を音響制御部２５に再生させる楽曲演奏処理と、楽曲情報中の歌詞情報を再生する歌詞再生処理と、を同期して実行する。また、本実施形態では、歌唱評価によるユーザ間の順位を競うことを目的とした、歌唱評価処理を実行する（Ｓ３０４）。この歌唱評価処理では、歌唱の各種特徴に基づいたパラメータ評価情報が算出される。本実施形態では、音程、リズム、安定度、熱唱度、テクニックの５つの項目、それぞれについてパラメータ評価情報が算出される。これらパラメータ評価情報は、歌唱用マイク４４ａ、４４ｂから入力される歌唱音声信号の音高、音量、タイミングを、楽曲情報中の基準情報と比較すること等によって算出される。
【００５２】
楽曲の再生が終了した場合（Ｓ３０５：Ｙｅｓ）、歌唱評価処理において算出された５つのパラメータ評価情報に基づいて、総合評価情報が算出される（Ｓ３０６）。本実施形態では、各パラメータ評価情報を０〜１００点の範囲の点数で算出することとしており、総合評価情報は、５つのパラメータの平均値として算出される。なお、総合評価情報の算出は、このように平均を取る以外に、パラメータ評価情報に重み付けをして算出する等、各種形態を採用することが可能である。次に、算出された総合評価情報に基づいて、当該楽曲についての順位を決定する（Ｓ３０７）。順位の決定は、サーバ装置５に、総合評価情報とパラメータ評価情報を含む評価情報、及び、ユーザ名（あるいは、ユーザ識別情報）を送信することで行われる。サーバ装置５は、受信した情報をランキングテーブルに登録し、順位の決定を行う。なお、順位の決定は、カラオケ装置２にダウンロードしたランキングテーブルを使用する形態としてもよい。
【００５３】
順位が決定した後、カラオケ装置２は、モニタ４１に評価結果を表示する（Ｓ３０８）。図１３には、本実施形態の評価結果画面が示されている。この評価結果画面では、歌唱した楽曲について総合得点（総合評価情報）と、５つの各項目についてパラメータ評価情報と、全国順位が表示されている。また、本実施形態では、５つのパラメータ評価情報を円グラフにて可視化している。ユーザは、この評価結果画面において、歌唱評価の結果、並びに、それに基づく全国順位を確認することが可能となる。なお、図１３に示す評価結果画面は、図８のランキングテーブル中、アドバイス対象者となったＡさんについて、１位順位を上げる（Ｂさんを抜く）ためのアドバイス対象となった項目（リズム）を、Ｂさんの項目のパラメータ評価情報に置き換えた参考例となっている。アドバイスに従い、リズムについてパラメータ評価情報が、Ｂさんに追いついた場合（他のパラメータ評価情報は同じとしている。）には、Ｂさんを抜き、順位を１位上げた参考例となっている。
【００５４】
以上、本実施形態のカラオケ装置２について説明を行ったが、本実施形態のカラオケ装置５によれば、ライバルユーザの複数のパラメータ評価情報と、歌唱ユーザの複数のパラメータ評価情報との比較結果に基づき、当該、比較結果が所定条件を満たすパラメータ評価情報に対応する項目（本発明における「歌唱特徴」）を通知することで、自己の歌唱が、ライバルユーザの歌唱と、どのような観点において項目が異なっているかを、ユーザに通知することが可能である。なお、本実施形態では、ライバルユーザを、予め定められた順位を１位順位が上のユーザとしているが、ライバルユーザは、ｎ位上（ｎは任意の自然数）順位が上のユーザとすることも可能である。なお、所定条件としては、上述の実施形態で説明したように、差が少なく、かつ、ライバルユーザの総合評価情報を上回るために必要なパラメータ評価情報に対応する項目を通知する以外に、複数のパラメータ評価情報中、最も差が大きい項目を通知する等、複数の項目中、ライバルユーザとの歌唱特徴の相違性、あるいは類似性等を認識させる各種形態を採用することが可能である。
【００５５】
また、本実施形態では、ユーザが楽曲の予約を行う楽曲確認画面にて、アドバイスを表示（通知）することとしていたが、アドバイスの通知は、楽曲確認画面のみならず、指定された楽曲の再生開始直前にモニタ４１に表示する、あるいは、図１３に示す評価結果画面に表示する等、通知のタイミング、通知の対象は適宜選択することが可能である。評価結果画面に表示した場合、ユーザは、次の歌唱においてどの項目に注意すれば順位を向上させることができるかを把握することが可能となる。
【００５６】
なお、本実施形態では、カラオケ装置２について説明を行ったが、パーソナルコンピュータ、あるいは、携帯端末等、各種情報処理で実行可能なカラオケプログラムとして提供することも可能である。
【符号の説明】
【００５７】
１…リモコン装置                  ２５…音響制御部
１１…タッチパネルモニタ          ２７…メモリ
１１ａ…表示部                    ２８…ビデオＲＡＭ
１１ｂ…タッチパネル              ２９…映像再生部
１２…ビデオＲＡＭ                ３０…ＣＰＵ
１３…映像制御部                  ３１…映像制御部
１４…メモリ                      ３２…ＨＤＤ（ハードディスク）
１５…ＣＰＵ                      ４１…モニタ
１６…無線ＬＡＮ通信部            ４２…スピーカ
１７…操作部                      ４４ａ、４４ｂ…歌唱用マイク（マイクロホン）
１８…操作処理部                  ５…サーバ装置
１９…赤外線通信部                ５１…記憶装置
２…カラオケ装置（コマンダ）      ７１…携帯端末画面
２１…操作部                      １００…ＬＡＮ
２２…操作処理部                  １１０…アクセスポイント
２３…赤外線通信部                １２０…ルータ
２４…ＬＡＮ通信部
【図１】
0006304490.tif 000002
【図２】
0006304490.tif 000003
【図３】
0006304490.tif 000004
【図４】
0006304490.tif 000005
【図５】
0006304490.tif 000006
【図６】
0006304490.tif 000007
【図７】
0006304490.tif 000008
【図８】
0006304490.tif 000009
【図９】
0006304490.tif 000010
【図１０】
0006304490.tif 000011
【図１１】
0006304490.tif 000012
【図１２】
0006304490.tif 000013
【図１３】
0006304490.tif 000014